【事件の表示】
　特許第３４０２３１５号「パチンコ機」の請求項１、２に係る特許に対する特許異議の申立てについて、次のとおり決定する。
【結　論】
　訂正を認める。
　特許第３４０２３１５号の請求項１、２に係る特許を取り消す。
【理　由】
１．手続きの経緯
　本件特許第３４０２３１５号の請求項１及び２に係る発明についての特許出願は、平成１２年８月２１日の特許出願であって、平成１５年２月２８日にその発明について特許の設定登録がなされ、その後、荒川浩二より特許異議の申立てがなされ、平成１６年３月４日付けで取消理由通知がなされ、その指定期間内である平成１６年４月２６日付けで意見書とともに訂正請求書が提出されたものである。
　
２．訂正の適否についての判断
２−１．訂正の内容
（１） 訂正事項ａ
　特許明細書の特許請求の範囲の【請求項１】における、
「前記凹状溝が、前後方向に傾斜した底面を有している」を、「前記凹状溝が、前後方向に５度以上１５度未満の角度で傾斜した底面を有している」と訂正する。
（２） 訂正事項ｂ
　特許明細書の【０００５】における「前記凹状溝が、前後方向に傾斜した底面を有している」を、「前記凹状溝が、前後方向に５度以上１５度未満の角度で傾斜した底面を有している」と訂正する。
（３） 訂正事項ｃ
　特許明細書の段落【０００５】における「なお、凹状溝の底面の傾斜角度は、５度以上１５度未満であることが好ましい。傾斜角度が、５度未満であると、ガラス板のがたつきを効果的に抑制することができないし、傾斜角度１５度以上であると、かえってガラス板の縁が損傷し易くなる、という不具合がある。」を、「なお、傾斜角度が、５度未満であると、ガラス板のがたつきを効果的に抑制することができないし、傾斜角度１５度以上であると、かえってガラス板の縁が損傷し易くなる、という不具合がある。」と訂正する。
（４） 訂正事項ｄ
　特許明細書の段落【００１４】の「請求項１に記載されたパチンコ機は、レール部材の凹状溝が、前後方向に傾斜した底面を有しているため、」を、「請求項１に記載されたパチンコ機は、レール部材の凹状溝が、前後方向に５度以上１５度未満の角度で傾斜した底面を有しているため、」と訂正する。
　
２−２．訂正の目的の適否、新規事項の有無及び拡張・変更の存否
（１） 訂正事項ａ
　上記訂正事項ａは、請求項１において、「凹状溝」が有する「前後方向に傾斜した底面」を、「前後方向に５度以上１５度未満の角度で傾斜した底面」という下位概念と限定するものであり、本件特許明細書の段落【０００５】に記載されていた事項に基づくものであるから、上記訂正事項ａは、特許請求の範囲の減縮を目的とした明細書の訂正に該当し、新規事項の追加に該当せず、実質上特許請求の範囲を拡張し、又は変更するものではない。
（２）訂正事項ｂ乃至ｄ
　上記訂正事項ｂ乃至ｄは、上記訂正事項ａと整合を図るものであるから、明りょうでない記載の釈明を目的とした明細書の訂正に該当し、新規事項の追加に該当せず、実質上特許請求の範囲を拡張し、又は変更するものではない。
　
２−３．むすび
　したがって、上記訂正は、平成１５年法律第４７号による改正前の特許法第１２０条の４第２項及び同条第３項において準用する特許法第１２６条第２項から第４項までの規定に適合するので、当該訂正を認める。
　
３．本件発明
　本件の請求項１及び２に係る発明は、上記訂正に係る訂正明細書の特許請求の範囲の請求項１及び２に記載された事項によりそれぞれ特定されるとおりのものと認められるところ、請求項１に係る発明（以下、「本件発明１」という。）は以下のとおりである。
　
【請求項１】透明板を嵌め込む凹状溝を設けたレール部材を内周に設置した窓枠が、遊技盤面の前方に位置するように、開閉自在に取り付けられているパチンコ機であって、
　前記凹状溝が、前後方向に５度以上１５度未満の角度で傾斜した底面を有していることを特徴とするパチンコ機。
　
　また、請求項２に係る発明は（以下、「本件発明２」という。）は以下のとおりである。
　
【請求項２】　凹状溝の底面が後ろ下がりに傾斜していることを特徴とする請求項１に記載のパチンコ機。
　
４．特許異議の申立てについての判断
４−１．特許異議の申立ての概要
　特許異議申立人荒川浩二は、下記の甲第１乃至７号証を提出し、当該甲第１乃至７号証より、本件発明１及び２の特許は、特許法第２９条第２項の規定に違反してなされたものであるから取り消すべきものである旨、主張する。
　
甲第１号証：特開平７−２６５５２６号公報
甲第２号証：特開平７−２０８０２５号公報
甲第３号証：特開平１０−２８０８１７号公報
甲第４号証：特開平８−４９４７６号公報
甲第５号証：特開平４−３４３９８９号公報
甲第６号証：登録実用新案第３０４５１６５号公報
甲第７号証：特開平１０−２１６０号公報
　
４−２．平成１６年３月４日付けの取消理由の概要
　当審は、平成１６年３月４日付けで通知した取消理由通知で、本件発明１及び２の特許は、下記の引用例１乃至３に記載された発明から当業者が容易に発明することができたものであるから、特許法第２９条第２項の規定に違反してされたものである旨通知した。
　
　引用例１：特開平７−２６５５２６号公報（甲第１号証）
　引用例２：特開平１０−３３７８４号公報
　引用例３：実願昭５３−９２５７７号（実開昭５５−９３７４号）のマイクロフィルム
　
４−３．引用例に記載の発明
（１） 引用例２
　引用例２［特開平１０−３３７８４号公報］には、以下の事項が記載されている。
(1-1)　「【請求項１】パチンコ機のガラス枠に嵌めるガラス板の側辺に装着する調整片であって、ガラス板面の側辺のコーナーの少なくとも二辺に密着し、ガラス厚み方向の一片には弾性係止部を形成したことを特徴とするパチンコ機のガラス枠の調整片。
【請求項２】調整片をばね材で構成した請求項１に記載のパチンコ機のガラス枠の調整片
【請求項３】調整片を合成樹脂材で構成した請求項１に記載のパチンコ機のガラス枠の調整片」（第２頁第１欄第２−１０行）
 (1-2)「【従来の技術】パチンコ機の前面のガラス枠には通常、前後二枚のガラス板を収納するための収容溝を形成したガラス板保持枠が設けられ、この収容溝に上端部からガラス板を挿通していたが、ガラス板が正規より薄い場合があり、ガタ付などの原因となる。」（第２頁第１欄第１６−２０行）
(1-3)「【課題を解決するための手段】本発明では、パチンコ機のガラス板保持枠のガラス収容溝内の調整片を、ガラス板面の側辺のコーナーの少なくとも二辺に密着し、ガラス厚み方向の一片には弾性係止部を形成したものである。また、調整片を板ばねとしたり、或は、合成樹脂材材で構成したものである。……
【発明の作用】ガラス板保持枠のガラス収容溝内にガラス板と共に装着される調整片の弾性係止部の弾力により、有効にガラス板圧の自動調節がなされる。」（第２頁第１欄第３３−４２行）
(1-4)「【実施例】……図１中の１はガラス扉枠であって、表枠部２にガラス板保持枠３をかしめ連結して成り、前面枠に固着した装着金枠に表枠部２の一側端を軸支して取り付け、………ガラス板保持枠３は収容溝成型部材を折曲して間隔部５の前後に連設することで、夫々上端部のガラス板挿通口６、７を除いて、前後にガラス板８、９の収容溝１１、１２を形成している。この実施例では後の収容溝１２に、本願の調整片１３が適用される場合を説明する。
【００１０】図２で示される様に、収容溝１２に嵌入される後ガラス板９には、断面Ｌ字状の調整片１３が密着される。即ち、後ガラス板９の側辺のコーナーの二辺のガラスカット面１４、ガラス板表面１５に、調整片１３が密着されるもので、この調整片１３のガラス板表面１５となるガラス厚み方向の一片には弾性係止部１６が形成される。
【００１１】この例では、弾性係止部１６は、調整片１３の長手方向に適切な間隔をおいて切り欠いて爪片状に折曲げたものとされた。
【００１２】図３には、後ガラス板９のもう一方の側辺には調整片１３と対象となる調整片１３’が密着され状態が示される。図３は、遊技板Ｕのパチンコ面Ｈに、障害釘
Ｋ、役物Ｙが配置され、後ガラス板９に対面している状態を示されている。
【００１３】前ガラス板８は、上端部のガラス挿通口６から差し込まれるが、後ガラス板９には、上記調整片１３、１３’が密着されてガラス挿通口７から差し込まれる。図１のＡ矢示の図４は、この状態を示し、後ガラス板９は、調整片１３の弾性係止部１６の弾力により収容溝１２の前内壁１７を介して後内壁１８に押圧され、後ガラス板９が規格外の薄いものでも自動的に調節される。」（第２頁第１欄第４９行−第２欄第３３行）
(1-5)　図１，３には、ガラス扉枠１は、表枠部２の遊技盤側にガラス板保持枠３を連結することによって形成され、遊技板Ｕのパチンコ面Ｈの前方に位置するように配置されていることが記載されている。
　以上の記載により、引用例２には、以下の発明が記載されているものと認められる。
「後ガラス板９を嵌入する収容溝１２を設けたガラス板保持枠３を表枠部２の遊技盤側に連結したガラス扉枠１が、遊技板Ｕのパチンコ面Ｈの前方に位置するように、その一側端を軸支して取り付けられているパチンコ機」（以下、「引用発明」という。）
　
（２） 引用例３
　引用例３［実願昭５３−９２５７７号（実開昭５５−９３７４号）のマイクロフィルム］には、以下の事項が記載されている。
(2-1)「この考案による複層ガラスは２枚の板ガラスｇ１，ｇ２と、この板ガラスの周辺に沿って方形に連結され、板ガラスの周縁部を嵌合保持する枠材Ａとで構成される。枠材Ａは断面ほぼＷ字状をなし、同一方向に開口する谷部１，２を有している。谷部１，２の中間に存する仕切壁３は谷部の底部に向かってそれぞれ外側に傾斜する斜面３ａ，３ｂを有し、また、仕切壁３の頂部には、枠材の長手方向に延長し、かつ、両谷部に張出す気密材４が嵌着されている。気密材は可撓性及び弾性を有している。」（第２頁第１６行−第３頁第６行）
(2-2)「この場合、タッピングビスによる枠材同志の引寄せ、連結作用とともに、各板ガラスの端縁は仕切壁３の斜面３ａ、３ｂに沿って外側に寄せられながら、谷部の底部に向かって進入する。従って、板ガラスの周縁部は各谷部の外側の気密材８，９に押圧密着され、板ガラスｇ１，ｇ２と外壁６，７の間に高い気密性が得られる。」（第４頁第９−１５行）
(2-3)「また、枠材は谷部の中間の仕切壁に斜面を有し、その谷部に板ガラスの周縁を嵌合するので、組立て時又は使用時に、板ガラスがそれぞれ斜面により外側に寄せられ気密材に密着されるから、枠材と板ガラスの間に高い気密性が確保されるとともに、板ガラス間に一定の空気層が確保される。」（第５頁第１６行−第６頁第２行）
　
４−４．本件発明１と引用発明との対比・判断
（１）本件発明１と引用発明との対比
　本件発明１と、引用発明とを比較すると、引用発明の「後ガラス板９」「嵌入する」「収容溝１２」「ガラス板保持枠３」「遊技板Ｕのパチンコ面Ｈ」「パチンコ機」が、それぞれ本件発明１の「透明板」「嵌め込む」「凹状溝」「レール部材」「遊技盤面」「パチンコ機」に相当する。
　また、引用発明の「ガラス板保持枠３を表枠部２の遊技盤側に連結したガラス扉枠１」は、ガラス扉枠１の外側に位置する表枠部２の遊技盤側（内側面）にガラス板保持枠３を連結しているのであるから、本件発明１の「レール部材を内周に設置した窓枠」に対応する。
　また、引用発明の「ガラス扉枠１が、遊技板Ｕのパチンコ面Ｈの前方に位置するように、その一側端を軸支して取り付けられている」ことは、ガラス扉枠１を開閉自在に軸支するのであるから、本件発明１の「窓枠が、遊技盤面の前方に位置するように、開閉自在に取り付けられている」に対応する。
　してみると、本件発明１と引用発明との両者は「透明板を嵌め込む凹状溝を設けたレール部材を内周に設置した窓枠が、遊技盤面の前方に位置するように、開閉自在に取り付けられているパチンコ機」である点で一致し、以下の点で相違する。
・相違点１
　凹状溝の底面が、本件発明１では、５度以上１５度未満の角度で前後方向に傾斜しているのに対し、引用発明では、傾斜していない点。
　
（２）当審の判断
　上記相違点１について検討する。
　引用発明を認定した引用例２には、パチンコ機の窓枠において、ガラス板のガタ付き防止という課題が認識され、その課題を解決する手段として、ガラス板の後面の下端際を凹状溝の後ろ側の鉛直面に押圧するガタ付き防止手段が記載されている。
　そして、引用例３には、上記４−３．（２）(2-2)にも摘記したように、板ガラスが、その端縁部が斜面に当接することにより鉛直な外壁６，７側に寄せられ、該外壁６，７に設けられた気密材８，９に密着する構成、すなわち、ガラス板を枠材の内側鉛直面に押圧する手段が記載されており、このような斜面を有する構成であればガラス板のガタ付きが防止されることは自明であると認められる。
　してみると、引用発明において、パチンコ機の窓枠におけるガラス板のガタ付きを防止するという課題を解決するために、凹状溝の内部に傾斜面を設け、該傾斜面をガラス板の端縁が移動することにより該ガラス板を凹状溝の内側鉛直面に押しつける構成とすることは、引用例３に記載のガラス板を枠材の内側鉛直面に押しつけるために傾斜面を設けるという技術に接した当業者であれば格別困難無く想起し得た事項にすぎない。
　そのような傾斜面の傾斜角度を本件発明１のように所定の範囲とすることは、ガラス板が傾斜面に沿って動きやすいか否か、ガラス板の端縁が欠損しないかどうか、かつ、傾斜面がガラス板の端縁によって削られないかどうか等の事情を考慮して、実験的に傾斜角度を最適化したにすぎず、傾斜面の傾斜角度の大小によってガラス板のガタ付きを防止するという本質的な作用効果には差異がない以上、当業者が通常の創作能力を発揮したにすぎないものというべきである。
　さらに、ガラス板後面の下端縁が傾斜面により支持されていれば、該傾斜面の位置が凹状溝の底面であるか鉛直面であるかによっては、ガラス板のガタ付きを防止するという本質的な作用効果には差異はなく、それに加えて、傾斜面の作用によりガラス板前面の下端を凹状溝の前側の鉛直面に押しつけるようにするためには、傾斜面の位置として、凹状溝の底面か後側の鉛直面かしか選択肢がない以上、傾斜面を凹状溝の底面に設けることは、当業者が適宜選択し得た単なる設計的事項にすぎないので、相違点１に係る本件発明１の構成とすることは当業者が容易に想到し得たものというべきである。
　
　そして、本件発明１に係る構成に基づく作用効果は、当業者が引用例２及び３に記載された発明から予測し得る範囲内のものにすぎない。
　したがって、本件発明１は、引用例２及び３に記載された発明に基づいて当業者が容易に発明をすることができたものであるので、本件発明１についての特許は、特許法第２９条第２項の規定に違反してされたものである。
　
４−５．本件発明２と引用発明との対比・判断
（１）本件発明２と引用発明との対比
　本件発明２と引用発明とを比較すると、本件発明１と同様な点（上記４−４．（１）参照）で引用発明と一致し、以下の点で相違する。
・ 相違点２
　凹状溝の底面が、本件発明２では、５度以上１５度未満の角度で後ろ下がりに傾斜しているのに対し、引用発明は、傾斜していない点。
　
（２）当審の判断
　上記相違点２について検討する。
　凹状溝の底面が、５度以上１５度未満の角度で傾斜していること自体については、上記４−４．（２）で検討したとおりである。
　そして、一般的なパチンコ機がその上部を後方に傾斜させて設置され、窓枠のレール部材の凹状溝底面の傾斜方向も、そのパチンコ機自体の傾斜により凹状溝底面に生ずる傾斜を打ち消す逆方向、すなわち前下がりではなく、凹状溝底面に生ずる傾斜の方向、すなわち後ろ下がりにすることは、ガラス板のガタ付きを防止するという作用効果を達成するために当業者に当然に採り得る構成であるので、相違点２に係る本件発明２の構成とすることは当業者が容易に想到し得たものというべきである。
　
　そして、本件発明２に係る構成に基づく作用効果は、当業者が引用例２及び３に記載された発明から予測し得る範囲内のものにすぎない。
　したがって、本件発明２は、引用例２及び３に記載された発明に基づいて当業者が容易に発明をすることができたものであるので、本件発明２の特許は、特許法第２９条第２項の規定に違反してされたものである。
　
５．むすび
　以上のとおりであるから、本件発明１及び２は、上記引用例２及び３に記載の発明に基づいて当業者が容易に発明をすることができたものであるから、本件発明１及び２についての特許は特許法第２９条第２項の規定に違反してされたものである。
　したがって、本件発明１及び２についての特許は、特許法第１１３条第２号に該当し、取り消されるべきものである。
　よって、結論のとおり決定する。
【異議決定日】
平成１６年８月１３日（２００４．８．１３）
【訂正の要旨】
審決（決定）の【理由】欄参照。
（５４）【発明の名称】
パチンコ機
（５７）【特許請求の範囲】
　【請求項１】　透明板を嵌め込む凹状溝を設けたレール部材を内周に設置した窓枠が、遊技盤面の前方に位置するように、開閉自在に取り付けられているパチンコ機であって、
　前記凹状溝が、前後方向に
５度以上１５度未満の角度で
　【請求項２】　凹状溝の底面が後ろ下がりに傾斜していることを特徴とする請求項１に記載のパチンコ機。
【発明の詳細な説明】
　【０００１】
　【発明の属する技術分野】
　本発明は、パチンコ機に関するものである。
　【０００２】
　【従来の技術】
　通常のパチンコ機は、機台の前面の上方に、略方形状の窓枠が、片開き自在に取り付けられている。また、窓枠の内周には、凹状溝を有するレール部材が設置されており、その凹状溝には、ガラス板が嵌め込み設置されている。そして、窓枠に嵌め込まれたガラス板が、遊技盤面の前方に位置した状態になっている。なお、凹状溝は、ガラス板を嵌め込み易いように、通常、ガラス板の厚みより幅広に設けられる。また、遊技盤の設置部分の下側には、遊技球発射装置が設置されており、断続的に発射された遊技球が、遊技盤の前面の上部から、遊技盤の前面とガラス板の内面との間を通って流下するようになっている。
　【０００３】
　【発明が解決しようとする課題】
　しかしながら、上記従来のパチンコ機は、レール部材の凹状溝がガラス板の厚みより幅広に設けられているため、遊技球が遊技盤の前面とガラス板の内面との間を通って流下する際に、ガラス板ががたつき、大きな騒音が発生する上、ガラス板が損傷してしまうこともある。
　【０００４】
　本発明の目的は、上記従来のパチンコ機が有する問題点を解消し、ガラス板のがたつきが低レベルに抑えられ、大きな騒音が発生したりせず、ガラス板が損傷したりしないパチンコ機を提供することにある。
　【０００５】
　【課題を解決するための手段】
　かかる本発明の構成のうち、請求項１に記載された発明の構成は、透明板を嵌め込む凹状溝を設けたレール部材を内周に設置した窓枠が、遊技盤面の前方に位置するように、開閉自在に取り付けられているパチンコ機であって、前記凹状溝が、前後方向に
５度以上１５度未満の角度で
　【０００６】
　【発明の実施の形態】
　以下、本発明のパチンコ機の一実施形態を、図面に基づいて詳細に説明する。図１は、本発明にかかるパチンコ機の正面を示したものである。パチンコ機１は、前面の中央よりやや上側に、ガラス板１８（図５参照）を嵌め込んだ方形状の窓枠２が、左端縁を中心として片開き自在に取り付けられており、各種の入賞装置８，８・・や障害釘９，９・・等を設置した遊技盤１０の前方に位置した状態になっている。また、窓枠２の下側には、供給皿１１を突設した中扉１２が、左端縁を中心として片開き自在に設置されており、その中扉１２の下側には、貯留皿１３および発射ハンドル１４を突設した下側機能部１５が設置されている。
　【０００７】
　図２〜図４は、窓枠２を示したものであり、窓枠２は、合成樹脂によって形成されており、基板３の中央に略円形状の開口部４が設けられている。また、開口部４の左右両側および下側には、設置壁５が一体的に立設されており、基板３と直交した状態になっている。そして、設置壁５の内面には、３つのレール部材６ａ，６ｂ，６ｃが当着されている。
　【０００８】
　各レール部材６ａ，６ｂ，６ｃは、合成樹脂によって長尺状に形成されている。そして、表面に、２本の凹状溝７ａ，７ｂが平行に刻設されており、裏面に、Ｌ字状の係止片１６，１６・・が突設されている。各レール部材６ａ，６ｂ，６ｃは、設置壁５に穿設された係止孔１７，１７に、裏面の係止片１６，１６を係止させた状態で、設置壁５の内面に当着されている。そして、各レール部材６ａ，６ｂ，６ｃの前側の各凹状溝７ａ，７ａ・・、および各レール部材６ａ，６ｂ，６ｃの後側の各凹状溝７ｂ，７ｂ・・が、互いに連なった状態になっており、連なった凹状溝７ａ，７ａ・・、および連なった凹状溝７ｂ，７ｂ・・に、それぞれ、透明なガラス板１８，１８が嵌め込み設置されている（なお、図２〜図４においては、ガラス板１８の記載が省略されている）。なお、各レール部材６ａ，６ｂ，６ｃの各凹状溝７ａ，７ｂは、ガラス板１８，１８を嵌め込み易いように、ガラス板１８の厚みより若干幅広に設計されている。
　【０００９】
　図５は、パチンコ機１の前面に取り付けられた窓枠２において下側のレール部材６ｂにガラス板１８を嵌合させた様子を示したものであり、各レール部材６ａ，６ｂ，６ｃの各凹状溝７ａ，７ｂは、断面が略コ字状になっている。また、下側のレール部材６ｂの後側の凹状溝７ｂの底面（図５におけるＦ）は、後ろ下がりに約１０度傾斜した状態になっている。このため、下側のレール部材６ｂの後側の凹状溝７ｂにおいては、ガラス板１８の自重により、ガラス板１８の後面（図５におけるＲ）の下端際が、凹状溝７ｂの後側の鉛直面と当接した状態になっている。
　【００１０】
　上記したパチンコ機１は、発射ハンドル１４が回動操作されると、遊技球発射装置（図示せず）から、遊技球が断続的に発射され、それらの遊技球が、遊技盤１０の前面の上部から、遊技盤１０の前面とガラス板１８の内面との間を通って流下する。また、パチンコ機１は、下側のレール部材６ｂの後側の凹状溝７ｂが、前後方向に傾斜した底面Ｆを有しており、ガラス板１８の後面Ｒの下端際が、凹状溝７ｂの後側の鉛直面と当接した状態になっているため、遊技球が遊技盤１０の前面とガラス板１８の内面との間を通って流下する際に、ガラス板１８ががたついたりせず、大きな騒音が発生したりしないし、ガラス板１８が損傷したりしない。
　【００１１】
　一方、通常、パチンコ機がパチンコホールに設置される場合には、機台の前面の上端が下端より後側に位置するように傾斜させて設置されるが、パチンコ機１は、下側のレール部材６ｂの後側の凹状溝７ｂの底面Ｆが後ろ下がりに傾斜しているため、傾斜させて設置した場合には、傾斜させない場合に比べて、ガラス板１８が、後面Ｒの下端際を凹状溝７ｂの後側の鉛直面と当接させた状態で、より動きにくくなるので、ガラス板１８のがたつきを非常に低いレベルに抑えることができる。
　【００１２】
　なお、本発明のパチンコ機の構成は、上記した各実施例の態様に何ら限定されるものではなく、窓枠、レール部材、透明板、中扉、下側機能部、遊技盤等の構成を、本発明の趣旨を逸脱しない範囲で、必要に応じて適宜変更できる。
　【００１３】
　たとえば、パチンコ機は、窓枠の左右両側および下側の内周にレール部材を設置したものに限定されず、窓枠の左右両側および上下両側の内周にレール部材を設置したもの等でも良い。また、レール部材は、３つに分割されたものに限定されず、一体的に形成されたものでも良い。さらに、レール部材は、２つの凹状溝を刻設したものに限定されず、１つのみの凹状溝を刻設したものや、３つ以上の凹状溝を刻設したものでも良い。加えて、レール部材は、複数の凹状溝のうちの１つが傾斜した底面を有するものに限定されず、図６の如く、２つ以上の凹状溝が傾斜した底面（図６におけるＦａ，Ｆｂ）を有するものでも良い。また、レール部材は、窓枠と別個のものに限定されず、窓枠に一体的に設けられたものでも良い。一方、窓枠に嵌め込む透明板は、ガラス板に限定されず、透明な合成樹脂板等でも良い。
　【００１４】
　【発明の効果】
　請求項１に記載されたパチンコ機は、レール部材の凹状溝が、前後方向に
５度以上１５度未満の角度で
　【００１５】
　請求項２に記載されたパチンコ機は、凹状溝の底面が後ろ下がりに傾斜しているため、傾斜させてパチンコホールに設置した場合に、ガラス板が、後面の下端際を凹状溝の後側の鉛直面と当接させた状態で、より動きにくくなるので、ガラス板のがたつきを非常に低いレベルに抑えることができる。
【図面の簡単な説明】
　【図１】
　パチンコ機の正面を示す説明図である。
　【図２】
　窓枠の背面を示す説明図である。
　【図３】
　窓枠の背面を示す斜視説明図である。
　【図４】
　図２におけるＡ−Ａ線断面を示す説明図である。
　【図５】
　窓枠の下端部を拡大して示す説明図である。
　【図６】
　レール部材の変更例を示す説明図である。
　【符号の説明】
　１・・パチンコ機、２・・窓枠、３・・基板、４・・開口部、５・・設置壁、６ａ，６ｂ，６ｃ・・レール部材、７ａ，７ｂ・・凹状溝、８・・入賞装置、９・・障害釘、１０・・遊技盤、１１・・供給皿、１２・・中扉、１３・・貯留皿、１４・・発射ハンドル、１５・・下側機能部、１６・・係止片、１７・・係止孔、１８・・ガラス板、Ｙ・・遊技球。